(57)【要約】【課題】サイロを大型化させることができる新たなサイロ用擁壁を提供する。【解決手段】間口方向及び奥行き方向に、サイロ用擁壁を構成するプレキャストコンクリート製の複数の製品ブロック６…を配列する。複数の製品ブロックに鋼棒７を貫通させ、圧縮力がかかるように複数の製品ブロック６…を間口方向及び／又は奥行き方向にナット２０で締め付けて複数の製品ブロック６…を一体化させる。【選択図】      図３
2006273429.tif 000002
【特許請求の範囲】
【請求項１】
飼料が貯蔵されるサイロ用擁壁であって、
間口方向及び／又は奥行き方向に配列され、サイロ用擁壁を構成するプレキャストコンクリート製の複数の製品ブロックと、
圧縮力がかかるように前記複数の製品ブロックを間口方向及び／又は奥行き方向に締め付けて前記複数の製品ブロックを一体化させる締め付け手段と、を備えることを特徴とするサイロ用擁壁。
【請求項２】
前記締め付け手段は、
間口方向及び／又は奥行き方向に伸び、複数の製品ブロックを貫通する鋼棒と、
該鋼棒の両端に螺合し、複数の製品ブロックを締め付けるためのナットとを有することを特徴とする請求項１に記載のサイロ用擁壁。
【請求項３】
平面でみた状態において、前記サイロ用擁壁の少なくとも一部をコの字形状に形成できるように、前記複数の製品ブロックは間口方向及び奥行き方向に配列されることを特徴とする請求項１又は２に記載のサイロ用擁壁。
【請求項４】
前記複数の製品ブロックそれぞれには位置決め凹部が形成され、
隣接する前記製品ブロックを整列させることができるように、前記位置決め凹部には位置決めピンが嵌められることを特徴とする請求項１ないし３いずれかに記載のサイロ用擁壁。
【請求項５】
前記複数の製品ブロックは、
前記サイロ用擁壁の平面図のコーナ部分に配列される平面図がＬ字形状の擁壁を有するＬ型交差ブロック、及び前記サイロ用擁壁の平面図のＴ字形に交差する部分に配列される平面図がＴ字形状の擁壁を有するＴ型交差ブロックを含み、
前記Ｌ型交差ブロック及び前記Ｔ型交差ブロックでは、間口方向に伸びる前記鋼棒の高さと、奥行き方向に伸びる前記鋼棒の高さが異なっていることを特徴とする請求項３または４に記載のサイロ用擁壁。
【請求項６】
擁壁の長さ方向に複数配列されることによって、飼料が貯蔵されるサイロ用擁壁を構成するプレキャストコンクリート製の製品ブロックであって、
前記複数の製品ブロックを擁壁の長さ方向に締め付けて一体化させることができるように、製品ブロックには擁壁の長さ方向に伸びる貫通穴が形成されていることを特徴とする製品ブロック。
【請求項７】
飼料が貯蔵されるサイロ用擁壁の製造方法であって、
間口方向及び／又は奥行き方向にサイロ用擁壁を構成するプレキャストコンクリート製の複数の製品ブロックを配列する工程と、
圧縮力がかかるように前記複数の製品ブロックを間口方向及び／又は奥行き方向に締め付けて前記複数の製品ブロックを一体化させる締め付け工程と、を備えることを特徴とするサイロ用擁壁の製造方法。
【発明の詳細な説明】
【技術分野】
【０００１】
この発明は、牧草・トウモロコシ等の飼料が貯蔵されるサイロ用擁壁に関する。
【背景技術】
【０００２】
牧草・トウモロコシ等の飼料を醗酵させた上で牛等に食べさせると栄養価値が高くなることが経験的にわかっている。北海道の酪農家はサイロに牧草等を貯蔵し、転圧して牧草等を醗酵させた後、牛等の餌にしている。
【０００３】
図１２はサイロの一種である従来のサイロ用擁壁を示す。整地された畑には擁壁を構成するプレキャストコンクリート製の製品ブロック１…が並べられる。隣接する製品ブロック１…を整列させることができるように、製品ブロック１，１間には図１３に示すように接続プレート２があてられ、ボルトで締め付けられている。向かい合う擁壁間には土間コンクリート３が打設される。これらのサイロ用擁壁は農家毎に構築され、そのサイズは大きいものでも間口が７〜８ｍ程度、奥行きが２０〜３０ｍ程度に設定される。
【発明の開示】
【発明が解決しようとする課題】
【０００４】
近年農業全体が変わりはじめている。各農家が牧草を刈り取る機械を保有し、また牧草を貯蔵するサイロを保有していたのでは、機械あるいはサイロの償却が重荷になって経営を圧迫する。このため機械、あるいはサイロを数十の農家で共同化し、サイロの大きさも例えば間口が数十ｍ、奥行きも５０ｍ程度の大型にすることが望まれている。
【０００５】
サイロを大型にするために、製品ブロック１…をたくさん並べることが考えられる。しかし製品ブロック１…を単に並べただけでは、製品ブロック１…の重量、擁壁間に入れられる牧草の重量等に起因して、地盤が不等沈下し、並べられた複数の製品ブロック１…が波打つおそれがある。
【０００６】
サイロが地盤の悪い畑に設置されることが多いこと、またサイロに盛られている飼料から擁壁に加わる荷重はいつも一定ではなく、飼料が盛られているときは荷重が大きく、飼料を取り出したときは荷重がなくなることも地盤が不等沈下を起こす原因となる。
【０００７】
地盤の不等沈下により、隣接する製品ブロックの連結部分（接続プレートをあててボルトを締め付けた部分）で、強度が足りなくてコンクリートがせん断破壊したり、ボルトが取れたりしてしまうという問題が生じる。
【０００８】
そこで本発明は、サイロを大型化させることができる新たなサイロ用擁壁、サイロ用擁壁の製造方法、及びサイロ用擁壁に用いられる製品ブロックを提供することを目的とする。
【課題を解決するための手段】
【０００９】
以下、本発明について説明する。
【００１０】
上記課題を解決するために本発明者は、サイロ用擁壁を構成するプレキャストコンクリート製の複数の製品ブロックを配列し、配列した複数の製品ブロックを擁壁の長さ方向に締めつけて一体化させた。
【００１１】
すなわち本発明は、飼料が貯蔵されるサイロ用擁壁であって、間口方向及び／又は奥行き方向に配列され、サイロ用擁壁を構成するプレキャストコンクリート製の複数の製品ブロックと、圧縮力がかかるように前記複数の製品ブロックを間口方向及び／又は奥行き方向に締め付けて前記複数の製品ブロックを一体化させる締め付け手段と、を備えることを特徴とする。
【００１２】
この発明によれば地盤の弱いところでも大きなサイズのサイロ用擁壁を構築することができる。
【００１３】
前記締め付け手段は、間口方向及び／又は奥行き方向に伸び、複数の製品ブロックを貫通する鋼棒と、該鋼棒の両端に螺合し、複数の製品ブロックを締め付けるためのナットとを有してもよい。
【００１４】
平面でみた状態において、前記サイロ用擁壁の少なくとも一部をコの字形状に形成できるように、前記複数の製品ブロックは間口方向及び奥行き方向に配列されてもよい。
【００１５】
このようにすれば、コの字形状で長さが間口方向及び奥行き方向に長いサイロを構築することができる。
【００１６】
前記複数の製品ブロックそれぞれには位置決め凹部が形成され、隣接する前記製品ブロックを整列させることができるように、前記位置決め凹部には位置決めピンが嵌められてもよい。
【００１７】
前記複数の製品ブロックは、前記サイロ用擁壁の平面図のコーナ部分に配列される平面図がＬ字形状の擁壁を有するＬ型交差ブロック、及び前記サイロ用擁壁の平面図のＴ字形に交差する部分に配列される平面図がＴ字形状の擁壁を有するＴ型交差ブロックを含み、前記Ｌ型交差ブロック及び前記Ｔ型交差ブロックでは、間口方向に伸びる前記鋼棒の高さと、奥行き方向に伸びる前記鋼棒の高さが異なっていてもよい。
【００１８】
この発明によれば、間口方向及び奥行き方向のいずれでも製品ブロックを締め付けることができる。
【００１９】
また本発明は、擁壁の長さ方向に複数配列されることによって、飼料が貯蔵されるサイロ用擁壁を構成するプレキャストコンクリート製の製品ブロックであって、前記複数の製品ブロックを擁壁の長さ方向に締め付けて一体化させることができるように、製品ブロックには擁壁の長さ方向に伸びる貫通穴が形成されていることを特徴とする製品ブロックとしてもよい。
【００２０】
さらに本発明は、飼料が貯蔵されるサイロ用擁壁の製造方法であって、間口方向又は奥行き方向にサイロ用擁壁を構成するプレキャストコンクリート製の複数の製品ブロックを配列する工程と、圧縮力がかかるように前記複数の製品ブロックを間口方向又は奥行き方向に締め付けて前記複数の製品ブロックを一体化させる締め付け工程と、を備えることを特徴とするサイロ用擁壁の製造方法としてもよい。
【発明の効果】
【００２１】
以上説明したように、本発明によれば、圧縮力がかかるように複数の製品ブロックを間口方向又は奥行き方向に締め付けて複数の製品ブロックを一体化させたので、地盤の弱いところでも大きなサイズのサイロ用擁壁を構築することができる。
【発明を実施するための最良の形態】
【００２２】
以下添付図面に基づいて本発明の一実施形態におけるサイロ用擁壁を説明する。
【００２３】
図１はサイロ用擁壁の平面図を示す。サイロ用擁壁は数十軒の農家が共同で利用できるように、間口Ｘが例えば１２ｍ程度、奥行きＹが例えば５０ｍの長大なコの字形状に形成されたものを複数組合わせて構成される。擁壁の垂直方向の高さは例えば２．７ｍに設定される。このようなサイロ用擁壁には刈られた牧草等の飼料がトラックで運ばれてくる。サイロ用擁壁に積み込まれた飼料は重機等で転圧され、醗酵した飼料は牛等の餌として再びサイロから運び出される。
【００２４】
図２はサイロ用擁壁の基礎図を示す。まず畑等の土を掘削し、砂質土４等で置きかえる。次に擁壁の下部に砂利５を敷き、均しコンクリート８を打設する。均しコンクリート８の上にサイロ用擁壁を構成するプレキャストコンクリート製の製品ブロック６…を並べる。対向する擁壁と擁壁の間には砂利９が敷かれ、土間コンクリート１０が打設される。
【００２５】
図３は製品ブロック６…の配列を示す。Ａ，Ｂ，Ｃ，Ｄ，Ｅ，Ｆ，Ｂ１，Ｂ２，Ｈと符号が附されている製品ブロック６…が間口方向及び奥行き方向に並べられる。ここで単に製品ブロックを並べただけでは製品ブロック６…が波打つおそれがある。このため製品ブロック６…の中に例えば直径１３ｍｍ程度のＰＣ鋼からなる鋼棒７…を貫通させ、この鋼棒７…の両端に螺合させたナットで圧縮力がかかるように複数の製品ブロックを間口方向及び奥行き方向に締め付けている。鋼棒７…は例えば垂直の壁に２本、水平の壁に２本、合計４本設けられる。圧縮力が加わるので、製品ブロック６…の圧縮強度は通常の２１Ｎ／ｍｍ２のものよりも大きい３５Ｎ／ｍｍ２のものを用いるのが望ましい。
【００２６】
ところで例えば奥行きが５０ｍもあるものを１本の鋼棒で締め付けることは不可能である。このため奥行き方向では、製品ブロックＡが４個並んだ５個目に仲介役の製品ブロックＢが配置される。製品ブロックＢには継手用開口８…が空けられ、この継手用開口８…内に鋼棒７…を連結するための継手が収納される。間口方向でも同様に製品ブロックＤが３個並んだ４個目に仲介役の製品ブロックＥが配置され、この製品ブロックＥにも継手用開口９…が空けられると共に鋼棒を連結するための継手が収納される。なお、もちろん製品ブロックの形状、個数、鋼棒の本数、材質等は種々設計変更可能である。
【００２７】
図４は基本ブロックとしての製品ブロックＡを示す。製品ブロックＡは断面逆Ｔ字形に形成されていて、垂直の壁１１に２本、水平の壁１２に２本、合計４本の鋼棒７…が貫通する貫通穴１３…が形成される。他の製品ブロックとの接触面１５，１５には、位置決め凹部１４…が例えば３箇所形成される。隣接する製品ブロックの位置決め凹部１４，１４には、図６に示すようにテーパが付けられた位置決めピン１７が嵌められる。接触面１５、１５にはまた、シール材１８が巻かれ、牧草を乳酸醗酵させたときの水分が外側に染み出すのが防止されている。牧草を乳酸醗酵させたときの水分はｐＨ３ぐらいの酸性を呈する。コンクリートは酸に弱いので、コンクリートの配合にも通常のポルトランドセメントではなく、耐酸性能を有するセメント及び混和材を用いることが望ましい。
【００２８】
図５は仲介ブロックとしての製品ブロックＢを示す。製品ブロックＢも製品ブロックＡと同様に、垂直の壁に２本、水平の壁に２本、合計４本の鋼棒７…が貫通する貫通穴１３…が形成され、他の製品ブロックとの接触面１５，１５には、位置決め凹部１４…が例えば３箇所形成される。この製品ブロックＢでは製品ブロックＡと異なり、貫通穴１３の途中に継手用開口８が空けられる。
【００２９】
図７は継手用開口８での連結を示す。継手用開口８内では鋼棒７の一端に螺合されたナット２０で複数の製品ブロック６…が締め付けられると共に、軸線方向に隣接する鋼棒７，７が継手１９によって連結されている。
【００３０】
図３に示される間口方向に並べられる製品ブロックＤ及び仲介ブロックとしての製品ブロックＥは、鋼棒が貫通する貫通穴の高さが相違する他はそれぞれ製品ブロックＡ及びＢと同様な構成なので、その説明は省略する。
【００３１】
図８はサイロ用擁壁の平面図のコーナ部分に配列されるＬ型交差ブロックとしての製品ブロックＨを示す。この製品ブロックＨは平面図がＬ字形状の擁壁を有する。図中（Ｄ）に示すように、コーナ部分は間口方向及び奥行き方向の端になるので、鋼棒７を締め付けるためのプレート２１及びナット２０が取り付けられる。また製品ブロックＨには、垂直の壁１１に間口方向に伸びる貫通穴１３ａ，１３ａが２本、奥行き方向に伸びる貫通穴１３ｂ，１３ｂが２本形成され、水平の壁１２にも間口方向に伸びる貫通穴１３ａ，１３ａが２本、奥行き方向に伸びる貫通穴１３ｂ，１３ｂが２本形成される。そしてそれぞれ垂直及び水平の壁１１，１２において、間口方向に伸びる貫通穴１３ａ，１３ａの高さと奥行き方向に伸びる貫通穴１３ｂ，１３ｂの高さが異なっている。これにより鋼棒７，７が交差して当たるのが防止されている。
【００３２】
図９は、サイロ用擁壁の平面図のＴ字形に交差する部分に配列されるＴ型交差ブロックとしての製品ブロックＦを示す。この製品ブロックＦは平面図がＴ字形状の擁壁を有する。製品ブロックＦには、垂直の壁１１に間口方向に伸びる貫通穴１３ａ，１３ａが２本、奥行き方向に伸びる貫通穴１３ｂ，１３ｂが２本形成され、水平の壁１２にも間口方向に伸びる貫通穴１３ａ，１３ａが２本、奥行き方向に伸びる貫通穴１３ｂ，１３ｂが２本形成される。そしてそれぞれ垂直及び水平の壁１１，１２において、間口方向に伸びる貫通穴１３ａ，１３ａの高さと奥行き方向に伸びる貫通穴１３ｂ，１３ｂの高さが異なっている。これにより鋼棒７，７が交差して当たるのが防止されている。
【００３３】
図１０及び図１１はそれぞれ製品ブロックＢ２及びＢ１を示す。この図に示されるように出入り口に近い製品ブロックの垂直の壁１１にはテーパがつけられていても良い。
【００３４】
図３における製品ブロックＣは、寸法調整のために製品ブロックＡよりも擁壁の長さ方向の寸法が小さい他は製品ブロックＡと同一の構成なのでその説明を省略する。
【００３５】
なお、本発明は上記実施形態に限定されるものでなく、本発明の範囲を逸脱しない範囲で種々変更可能である。例えば、複数のブロックを一体化させる締め付け手段として、鋼棒の代わりにワイヤーを用いても良い。またサイロの間口寸法、及び奥行き寸法は様々に設定されてよい。
【図面の簡単な説明】
【００３６】
【図１】本発明の一実施形態におけるサイロ用擁壁の平面図。
【図２】サイロ用擁壁の基礎図。
【図３】製品ブロックの配列を示す図（図中（Ａ）は平面図、（Ｂ）及び（Ｃ）は側面図）。
【図４】製品ブロックＡを示す図（図中（Ｃ）は平面図、（Ａ）はＡ−Ａ線断面図、（Ｂ）は側面図）。
【図５】製品ブロックＢを示す図（図中（Ｃ）は平面図、（Ａ）はＡ−Ａ線断面図、（Ｂ）は側面図）。
【図６】製品ブロックの位置決め部を示す断面図。
【図７】継手用開口での連結を示す図。
【図８】製品ブロックＨを示す図（図中（Ｃ）は平面図、（Ａ）はＡ−Ａ線断面図、（Ｂ）はＢ−Ｂ線断面図、（Ｄ）はＤ部詳細図）。
【図９】製品ブロックＦを示す図（図中（Ｃ）は平面図、（Ａ）はＡ−Ａ線断面図、（Ｂ）はＢ−Ｂ線断面図）。
【図１０】製品ブロックＢ２を示す側面図。
【図１１】製品ブロックＢ１を示す側面図。
【図１２】従来のサイロ用擁壁を示す斜視図。
【図１３】従来のサイロ用擁壁の接続部を示す断面図。
【符号の説明】
【００３７】
６…製品ブロック
７…鋼棒
８…継手用開口
１３，１３ａ，１３ｂ…貫通穴
１４…位置決め凹部
１７…位置決めピン
１９…継手
２０…ナット
製品ブロックＡ…基本ブロック
製品ブロックＢ…仲介ブロック
製品ブロックＨ…Ｌ字交差ブロック
製品ブロックＦ…Ｔ字交差ブロック
【図１】
2006273429.tif 000003
【図２】
2006273429.tif 000004
【図３】
2006273429.tif 000005
【図４】
2006273429.tif 000006
【図５】
2006273429.tif 000007
【図６】
2006273429.tif 000008
【図７】
2006273429.tif 000009
【図８】
2006273429.tif 000010
【図９】
2006273429.tif 000011
【図１０】
2006273429.tif 000012
【図１１】
2006273429.tif 000013
【図１２】
2006273429.tif 000014
【図１３】
2006273429.tif 000015